(57)【要約】【課題】白蟻が水切り部材に接近することを抑制する。【解決手段】防蟻構造を造るための防蟻工法において、立設された基礎１１０から張り出すように、前記基礎１１０の上に防蟻シート１５１を配置し、前記防蟻シート１５１の上に土台１２０を載置し、水切り部材１５０に支持部材１５２を固定すると共に、前記土台１２０に対して前記水切り部材１５０を固定し、前記水切り部材１５０に固定された前記支持部材１５２に前記防蟻シート１５１を固定する。【選択図】図２
2019039251.tif 000002
【特許請求の範囲】
【請求項１】
防蟻構造を造るための防蟻工法であって、
立設された基礎から張り出すように、前記基礎の上に防蟻シートを配置し、
前記防蟻シートの上に土台を載置し、
水切り部材に支持部材を固定すると共に、前記土台に対して前記水切り部材を固定し、
前記水切り部材に固定された前記支持部材に前記防蟻シートを固定する、防蟻工法。
【請求項２】
前記防蟻シートが前記基礎の側面から離間した位置で支持されるように、前記支持部材に前記防蟻シートを固定する、請求項１に記載の防蟻工法。
【請求項３】
前記防蟻シート及び前記支持部材は、白蟻忌避成分を有する薬剤を含有している、請求項１又は２に記載の防蟻工法。
【請求項４】
立設された基礎と、
前記基礎の上に載置された土台と、
前記土台に対して固定された水切り部材と、
前記基礎と前記土台との間に配置され、前記基礎から張り出した防蟻シートと、
前記水切り部材に固定された支持部材とを備え、
前記防蟻シートが前記基礎の側面から離間した位置で支持されるように、前記防蟻シートが前記支持部材に固定されている、防蟻構造。
【請求項５】
前記支持部材は、接着面を有する防蟻テープによって前記水切り部材に固定されており、
前記防蟻シートは、接着面を有する防蟻テープによって前記支持部材に固定されている、請求項４に記載の防蟻構造。
【請求項６】
前記支持部材は、接着剤によって前記水切り部材に固定されており、
前記防蟻シートは、接着剤によって前記支持部材に固定されている、請求項４に記載の防蟻構造。
【請求項７】
前記防蟻シート又は前記支持部材は、接着面を有する、請求項４に記載の防蟻構造。
【請求項８】
前記防蟻シート及び前記支持部材は、白蟻忌避成分を有する薬剤を含有している、請求項４から７のいずれか１項に記載の防蟻構造。
【発明の詳細な説明】
【技術分野】
【０００１】
本発明は、防蟻シートを用いる防蟻工法、及び防蟻シートを備える防蟻構造に関する。
【背景技術】
【０００２】
防蟻シートを用いる防蟻工法として、例えば、特許文献１には、防蟻シート材の一側辺部をコンクリート布基礎の壁面から側方に突出させた状態で、防蟻シート材を設置する方法が記載されている。このコンクリート布基礎は床下地盤面上に敷設され、当該コンクリート布基礎の上方に土台が載置される。そして、防蟻シート材は、土台とコンクリート布基礎の間に配設される。
【先行技術文献】
【特許文献】
【０００３】
【特許文献１】特開平８−２１０１６号公報
【発明の概要】
【発明が解決しようとする課題】
【０００４】
しかし、特許文献１に記載の方法では、段階的に形成された蟻道が積み重なり、地面から水切り部材（水切り板）に至る蟻道が形成される恐れがある。この場合には、水切り部材を越えて、又は水切り部材と土台との間の隙間を経由して、土台に至る蟻道が形成されてしまう。そして、特許文献１に記載の方法では、これを防止することが困難である。
【課題を解決するための手段】
【０００５】
上記課題を解決するため、本発明の一例としての防蟻工法は、防蟻構造を造るための防蟻工法であって、立設された基礎から張り出すように、前記基礎の上に防蟻シートを配置し、前記防蟻シートの上に土台を載置し、水切り部材に支持部材を固定すると共に、前記土台に対して前記水切り部材を固定し、前記水切り部材に固定された前記支持部材に前記防蟻シートを固定する、ことを特徴とする。
を特徴とする。
【０００６】
また、本発明の他の例としての防蟻構造は、立設された基礎と、前記基礎の上に載置された土台と、前記土台に対して固定された水切り部材と、前記基礎と前記土台との間に配置され、前記基礎から張り出した防蟻シートと、前記水切り部材に固定された支持部材とを備え、前記防蟻シートが前記基礎の側面から離間した位置で支持されるように、前記防蟻シートが前記支持部材に固定されている、ことを特徴とする。
【発明の効果】
【０００７】
これらの防蟻工法及び防蟻構造によれば、水切り部材に固定された支持部材によって、防蟻シートが基礎の側面から離間した位置で支持される。そのため、白蟻が水切り部材に接近することを抑制できる。これにより、水切り部材を越えて、又は水切り部材と土台との間の隙間を経由して、土台に至る蟻道が形成されてしまうことを防止できる。
【０００８】
本発明のさらなる特徴は、添付図面を参照して例示的に示した以下の実施例の説明から明らかになる。
【図面の簡単な説明】
【０００９】
【図１】第１実施形態の防蟻構造の概略断面図である。
【図２】第１実施形態の防蟻工法のフローチャートである。
【図３】第１実施形態の防蟻構造の概略拡大分解図である。
【図４】第２実施形態の防蟻構造の概略拡大断面図である。
【発明を実施するための形態】
【００１０】
以下、本発明を実施するための例示的な実施形態を、図面を参照して詳細に説明する。ただし、以下の実施形態で説明する寸法、材料、形状及び構成要素の相対的な位置等は任意であり、本発明が適用される装置の構成又は様々な条件に応じて変更できる。また、特別な記載がない限り、本発明の範囲は、以下に具体的に記載された実施形態に限定されるものではない。なお、以下の説明において、端部は、部材の中央から両縁のいずれかに近い部分であり、必ずしも部材の最外縁を含むものではない。
【００１１】
［第１実施形態］
図１は、第１実施形態に係る防蟻工法によって造られる建築物の防蟻構造１０１の概略断面図を示している。この防蟻構造１０１の基礎１１０の下方には、複数の防蟻シート（不図示）が、互いの端部が重ね合されるように、転圧された地面、砕石又はコンクリートの上に敷かれている。複数の防蟻シートの重ね合せ部分は、粘着面を有する防蟻シート（以下、防蟻テープともいう）によって貼り合わされている。そして、敷かれている防蟻シートの上に土及び／又はコンクリートを載せ、その後に組み上げられた型枠内にコンクリートを流し込んでベタ基礎が造られている。この型枠は、コンクリートが硬化した後に脱型される。
【００１２】
布基礎の場合には、基礎１１０を造った後で、建築物の床下となる領域に複数の防蟻シートを敷き、それぞれの防蟻シートを防蟻テープで貼り合わしてもよい。この場合、防蟻シートは、防蟻接着剤及び／又は防蟻テープによって、基礎１１０に固着される。この防蟻接着剤は、例えば、アクリル系接着材からなり、白蟻忌避成分を有するピレスロイド系の薬剤（一例としてビフェントリン）を含有している。
【００１３】
防蟻シートは、例えば、ＥＶＡ樹脂（エチレンビニルアセテート樹脂）からなる基材中に、白蟻忌避成分を有するピレスロイド系の薬剤（一例としてビフェントリン）が含有された可撓性シートである。この防蟻シートは、例えば、０．１８ｍｍの膜厚を有しており、防湿性を有している。また、防蟻テープは、アクリル系接着剤からなる接着面を有しており、例えば、白蟻忌避成分を有するピレスロイド系の薬剤（一例としてビフェントリン）が、基材中に含有された可撓性シートである。代替的に、防蟻シート、防蟻テープ及び防蟻接着剤には、有機リン系の薬剤を含有していてもよい。
【００１４】
白蟻忌避成分を有する薬剤の代わりに、接触毒又は食毒の殺虫成分を有する薬剤が混入された防蟻シートも採用可能である。ただし、接触毒の殺虫効果を有する防蟻シートは、白蟻の死骸の上に蟻道が積み重ねられてしまう恐れがある。また、食毒の殺虫効果を有する防蟻シートは、防蟻シートが食い破られる恐れがある。この点、忌避効果を有する防蟻シートは、これらの恐れがないため、接触毒又は食毒の殺虫効果を有する防蟻シートよりも好ましい。さらに、白蟻が通過できないサイズの小穴が形成された金属メッシュも採用可能である。ただし、忌避効果を有する防蟻シートは、白蟻の接近を抑制することができるため金属メッシュよりも好ましい。
【００１５】
図１の防蟻構造１０１は、地面から立設されて、建築物の下部となるコンクリート製の基礎１１０と、基礎１１０の上に載置された土台１２０とを備えている。この基礎１１０の下部は、一点鎖線で図示する地面ＧＬに埋まった状態である。土台１２０は、例えば、薬剤が注入された木材（注入材）又は薬剤が塗布される木材である。基礎１１０と土台１２０との間には気密パッキン１２１が配置されており、土台１２０はアンカーボルト１１１によって基礎１１０に固定されている。代替的に、土台１２０は、基礎１１０の上に配置された第１防蟻シート１５１の上に直接載置してもよい。説明の便宜上、図１においてはアンカーボルト１１１を点線で示している。
【００１６】
基礎１１０の外側（屋外側）には、基礎ガード１１２が塗布されている。一方、基礎１１０の内側（屋内側）には、略Ｌ字状の断面形状を有するように組み合わされた断熱材１４１が配置されている。この断熱材１４１は、例えば、押出法ポリスチレンフォーム断熱材である。また、基礎１１０と断熱材との間、例えば基礎１１０の内側角部には、防蟻用シーリング材１４２が充填されている。この防蟻用シーリング材１４２は、例えば、防蟻成分を有する薬剤としてチアメトキサムが混入されたシリコーン系シーリング材である。さらに、断熱材１４１の端面には、防蟻フォーム１４３が塗布されており、硬化した防蟻フォーム１４３が当該端面を覆っている。この防蟻フォーム１４３は、例えば、防蟻成分を有する薬剤としてペパーミントオイルが混入されたポリウレタンフォームである。
【００１７】
土台１２０の上には、構造用合板１３１が載置されており、土台１２０の上方には所定間隔で複数の通気胴縁１３２が配置されている。この通気胴縁１３２は、例えば、薬剤が注入された木材（注入材）又は薬剤が塗布される木材である。通気胴縁１３２の内側には、柱及び間柱（不図示）の外側表面に透湿防水シート１３３がつづり針（タッカー）によって固定されている。そして、透湿防水シートの内側には硬質ウレタンフォーム１４４（断熱材）が塗布されている。また、通気胴縁１３２の下端には、隣り合う通気胴縁１３２同士の間に跨るように、防虫網１３４が取り付けられている。この防虫網１３４は、例えば、複数の通気開口が形成された鋼板である。また、通気胴縁１３２の外側には、外壁材１３５が取り付けられている。
【００１８】
また、防蟻構造１０１は、土台１２０に対して固定された水切り部材１５０と、第１防蟻シート１５１及び第２防蟻シート１５２（支持部材）とを備えている。この水切り部材１５０は、例えば、アルミ押出材から形成されており、釘又はネジによって土台１２０に固定されている。第１防蟻シート１５１は、基礎１１０と土台１２０との間に配置され、基礎１１０から外側に向かって突出するように、基礎１１０から張り出している。第２防蟻シート１５２の第１端部１５８（図３）は、接着面を有する第３防蟻シート１５３（防蟻テープ）によって水切り部材１５０に固定されている。
【００１９】
第１防蟻シート１５１が基礎１１０の側面から離間した位置で支持されるように、第１防蟻シート１５１は、第２防蟻シート１５２に固定されている。すなわち、第１防蟻シート１５１は、第２防蟻シート１５２における第１端部１５８とは反対側の第２端部１５９（図３）に、第３防蟻シート１５３によって固定されている。この第３防蟻シート１５３は、第１防蟻シート１５１及び第２防蟻シート１５２のそれぞれの端面を覆うように貼り付けられている。代替的に、第３防蟻シート１５３は、第１防蟻シート１５１及び第２防蟻シート１５２の端部を重ね代が形成されるように重ね合わせた状態で、当該両端部に貼り付けてもよい。
【００２０】
第１防蟻シート１５１は、基礎１１０の上に直接載置されており、アンカーボルト１１１が挿通する複数の穴が形成されている。第１防蟻シート１５１の上に気密パッキン１２１を介して土台１２０が載置されるため、第１防蟻シート１５１は土台１２０の重量によって基礎１１０の上に固定される。さらに、接着面を有する第１防蟻シート１５１を用いることによって、第１防蟻シート１５１を基礎１１０に固着してもよい。または、第１防蟻シート１５１を、防蟻用接着剤又は防蟻テープによって基礎１１０に固着してもよい。
【００２１】
第２防蟻シート１５２の第１端部１５８は、接着面を有する第３防蟻シート１５３によって、水切り部材１５０の下面に固定されている。そのため、第２防蟻シート１５２の第１端部１５８とは反対側の第２端部１５９は、地面ＧＬに向かって垂れ下がっている。第２防蟻シート１５２の長さ及び固定位置は、第２防蟻シート１５２の第２端部１５９が基礎１１０から離間するように設定されている。この第２防蟻シート１５２に第１防蟻シート１５１が固定される。これにより、第１防蟻シート１５１は、基礎１１０の側面から離間した位置で支持される。すなわち、第２防蟻シート１５２は、第１防蟻シート１５１の基礎１１０から張り出した端部１５７（図３）が、基礎１１０の側面から離間するように、第１防蟻シート１５１を支持している。
【００２２】
これにより、第１防蟻シート１５１の張り出した端部が、返し構造を構成している。すなわち、第１防蟻シート１５１の基礎１１０から突出した端部は、地面ＧＬに向かって垂れ下がっている。そのため、第１防蟻シート１５１の白蟻忌避成分に返し構造が加わることによって、白蟻が第１防蟻シート１５１を乗り越えることをより確実に防止できる。また、第２防蟻シート１５２の第２端部１５９と第１防蟻シート１５１の端部１５７との間は、第３防蟻シート１５３によって覆われている。そのため、両端部の間に隙間はなく、白蟻の侵入をより確実に防止できる。
【００２３】
水切り部材１５０の上端部の外側表面には、透湿防水シート１３３の下端部が、接着面を有する第４防蟻シート１５４（防蟻テープ）によって固着されている。この第４防蟻シート１５４（図３）によって、水切り部材１５０と透湿防水シート１３３との間には、隙間が形成されない。そのため、白蟻が、基礎１１０に隣接する立木等から水切り部材１５０に到達した場合であっても、水切り部材１５０から土台１２０に白蟻が移動することを防止できる。
【００２４】
［防蟻工法］
続いて、図２及び図３を参照して防蟻工法について説明する。図２は第１実施形態の防蟻工法のフローチャートであり、図３は第１実施形態の防蟻構造１０１の概略拡大分解図である。
【００２５】
第１実施形態の防蟻工法では、まず地面ＧＬに立設されるように基礎１１０を設置する（Ｓ１０１）。そして、基礎１１０の上に土台１２０を固定するために、基礎１１０の所定位置に複数のアンカーボルト１１１を打ち込む。または、基礎１１０の所定位置に複数のアンカーボルト１１１が埋め込まれた状態の基礎１１０を準備してもよい。次に、第１防蟻シート１５１のアンカーボルト１１１に対応する位置に、アンカーボルト１１１を挿通するための開口を形成する（Ｓ１０２）。この開口は、例えば、カッターナイフを用いて形成することができ、スリット、円、又は略Ｕ字状の切り欠きによって構成できる。
【００２６】
続いて、第１防蟻シート１５１の開口にアンカーボルト１１１が挿通されるように、第１防蟻シート１５１を基礎１１０の上に載置する（Ｓ１０３）。このとき、第１防蟻シート１５１は、基礎１１０の外側に１〜１０ｃｍ、より好ましくは１〜５ｃｍ張り出すように、立設された基礎１１０の全面に載置される。すなわち、第１防蟻シート１５１の基礎１１０の外側に延在している部分の長さは、１〜１０ｃｍに設定されている。当該長さは、水切り部材１５０よりも下方に突出しないように、すなわち外部から視認されないように設定されることがさらに好ましい。代替的に、第１防蟻シート１５１は、基礎１１０の外側及び内側に張り出すように、基礎１１０の上に載置してもよい。
【００２７】
第１防蟻シート１５１は、アンカーボルト１１１が第１防蟻シート１５１の開口に挿通されることによって、基礎１１０に対して位置決めされる。２枚の第１防蟻シート１５１が隣り合う領域においては、隣り合う第１防蟻シート１５１の端部は、重ね代が形成されるように重ね合される。そして、隣り合う第１防蟻シート１５１が、防蟻テープによって固着される。これにより、隣り合う第１防蟻シート１５１同士の間に隙間が形成されることを防止できる。
【００２８】
次に、第１防蟻シート１５１の上に気密パッキン１２１を載置する（Ｓ１０４）。このとき、アンカーボルト１１１を挿通させるための開口が予め形成されている気密パッキン１２１を用いることができる。代替的に、アンカーボルト１１１を挿通させるための開口を、配置時に気密パッキン１２１に形成してもよい。その後、気密パッキン１２１を介して、第１防蟻シート１５１の上に土台１２０を載置して（Ｓ１０５）、アンカーボルト１１１によって固定する。代替的に、第１防蟻シート１５１の上に土台１２０を直接載置してもよい。
【００２９】
その後、土台１２０の上に所定間隔で柱及び間柱を立設する。そして、水切り部材１５０の下面に第２防蟻シート１５２の第１端部１５８を第３防蟻シート１５３（防蟻テープ）によって固定する（Ｓ１０６）。続いて、土台１２０の外側表面に釘又はネジによって水切り部材１５０を固定する（Ｓ１０７）。そして、水切り部材１５０に固定された第２防蟻シート１５２の第２端部１５９に、第１防蟻シート１５１の端部１５７を第３防蟻シート１５３によって固定する（Ｓ１０８）。このとき、第１防蟻シート１５１は、基礎１１０の側面から離間した位置で支持されるように、第２防蟻シート１５２に固定される。すなわち、第２防蟻シート１５２は、基礎１１０の側面から離間した位置において、第１防蟻シート１５１を支持する。これにより、第１防蟻シート１５１が基礎１１０から張り出した状態を維持することができる。
【００３０】
続いて、柱及び間柱の外側表面にタッカーによって透湿防水シート１３３を固定する（Ｓ１０９）。このとき、透湿防水シート１３３の下端部を、第４防蟻シート１５４（防蟻テープ）によって水切り部材１５０の上端部の外側表面に固着する。これにより、第１実施形態に係る建築物の防蟻構造１０１を造ることができる。防蟻構造１０１の完成後は、透湿防水シート１３３の外側において、柱及び間柱に釘又はネジによって通気胴縁１３２を固定する。そして、通気胴縁１３２の下端部に釘又はネジによって防虫網１３４を固定する。その後、通気胴縁１３２に金具によって外壁材１３５を固定する。
【００３１】
以上説明した第１実施形態によれば、水切り部材１５０に固定された支持部材（第２防蟻シート１５２）によって、第１防蟻シート１５１が基礎１１０の側面から離間した位置で支持される。また、土台１２０と基礎１１０との間に、第１防蟻シート１５１が配置される。これにより、白蟻が水切り部材１５０に接近することを抑制できる。そのため、水切り部材１５０を越えて、又は水切り部材１５０と土台１２０との間の隙間を経由して、土台１２０に至る蟻道が形成されてしまうことを防止できる。また、第１防蟻シート１５１が基礎１１０から張り出した状態が維持されるため、基礎１１０の外側に基礎ガード１１２を塗布する際に、塗布作業を第１防蟻シート１５１が邪魔をすることもない。
【００３２】
さらに、支持部材としての第２防蟻シート１５２によって、第１防蟻シート１５１が基礎１１０から張り出した返し構造を維持することができる。そのため、施工中に第１防蟻シート１５１に折り目が生じた場合、又は第１防蟻シート１５１に異物（例えば基礎ガード１１２）が付着した場合であっても、第１防蟻シート１５１が撓んで基礎１１０に近接することを防止できる。さらに、白蟻忌避成分によって白蟻が水切り部材１５０へ到達することを抑制できる。そのため、水切り部材１５０と土台１２０との間に隙間が生じている場合であっても、白蟻が土台１２０に侵入することを防止できる。
【００３３】
第１実施形態においては、水切り部材１５０の固定時に第２防蟻シート１５２を固着している。ただし、必要に応じて、建築物の完成後に第２防蟻シート１５２を水切り部材１５０及び第１防蟻シート１５１に固着してもよい。この場合、建築物の完成までの間は、第１防蟻シート１５１によって白蟻の侵入が抑制される。また、第２防蟻シート１５２の第２端部１５９は、第１防蟻シート１５１の最外縁から離れた位置で第１防蟻シート１５１に固着されていてもよい。
【００３４】
第１防蟻シート１５１は、気密パッキン１２１を介して基礎１１０の上に載置することもできる。ただし、気密パッキン１２１が撓むことによって、気密パッキン１２１と第１防蟻シート１５１との間に隙間が生じる可能性がある。そのため、第１防蟻シート１５１は、基礎１１０の上に直接載置することがより好ましい。また、基礎１１０が外層（例えば、断熱材層又はモルタル層）を有する場合には、第１防蟻シート１５１は、当該外層の外側に１〜１０ｃｍ張り出すように載置される。
【００３５】
［第２実施形態］
防蟻構造２０１の概略拡大断面図である図４を参照して第２実施形態について説明する。第２実施形態の防蟻構造２０１では、第３防蟻シート１５３（防蟻テープ）を用いていない点で、第１実施形態と異なる。なお、第２実施形態の説明においては、第１実施形態との相違点について説明し、第１実施形態で説明した構成要素については説明を省略する。特に説明した場合を除き、同じ参照符号を付した構成要素は略同一の動作及び機能を奏し、その作用効果も略同一である。
【００３６】
図４の防蟻構造２０１は、地面から立設されて、建築物の下部となるコンクリート製の基礎１１０と、基礎１１０の上に載置された土台１２０とを備えている。基礎１１０と土台１２０との間には気密パッキン１２１が配置されており、土台１２０はアンカーボルト１１１（不図示）によって基礎１１０に固定されている。土台１２０の上方には、柱及び間柱（不図示）の外側表面に透湿防水シート１３３がタッカーによって固定されている。
【００３７】
また、防蟻構造２０１は、土台１２０に対して固定された水切り部材１５０と、第１防蟻シート２５１及び第２防蟻シート２５２（支持部材）とを備えている。第１防蟻シート２５１は、基礎１１０と土台１２０との間に配置され、基礎１１０から外側に向かって突出するように、基礎１１０から張り出している。
【００３８】
ここで、第２実施形態の第１防蟻シート２５１及び／又は第２防蟻シート２５２（支持部材）は、接着面を有する防蟻テープである。または、第２実施形態の第２防蟻シート２５２は、接着剤、より好ましくは防蟻接着剤によって水切り部材１５０固定されている。同様に、第１防蟻シート２５１は、接着剤、より好ましくは防蟻接着剤によって第２防蟻シート２５２に固定されている。
【００３９】
さらに、第２実施形態の第１防蟻シート２５１は、第１実施形態よりも長い。そのため、第２防蟻シート２５２の第２端部２５９は、第１防蟻シート２５１の最外縁２５６から離れた位置で第１防蟻シート２５１に固着されている。すなわち、図４においては、第１防蟻シート２５１の端部２５７が第２防蟻シート２５２よりも地面側に突出している。代替的に、第２防蟻シート２５２を第１実施形態よりも長くしてもよい。この場合、第１防蟻シート２５１は、第２防蟻シート２５２の第２端部２５９が第１防蟻シート２５１の最外縁２５６よりも地面側に突出するように、第２防蟻シート２５２に固定される。
【００４０】
より具体的に、第１防蟻シート２５１の上面が接着面である場合、第２防蟻シート２５２の第１端部２５８は、接着剤によって水切り部材１５０に固着される。そして、第２防蟻シート２５２の第２端部２５９は、第１防蟻シート２５１の接着面（上面）に固着される。また、第２防蟻シート２５２の上面が接着面である場合、第２防蟻シート２５２の第１端部２５８は、当該接着面を介して水切り部材１５０に固着される。そして、第２防蟻シート２５２の第２端部２５９は、当該接着面を介して第１防蟻シート２５１の上面に固着される。
【００４１】
また、第２防蟻シート２５２が接着剤により固着されている場合、第２防蟻シート２５２の第１端部２５８は、接着剤によって水切り部材１５０に固着される。そして、第１防蟻シート２５１の上面は、接着剤によって第２防蟻シート２５２の第２端部２５９に固着される。代替的に、第１防蟻シート２５１の下面を、接着剤によって第２防蟻シート２５２の第２端部２５９に固着してもよい。
【００４２】
第２実施形態においても、第１防蟻シート２５１は、基礎１１０の側面から離間した位置で支持されるように、第２防蟻シート２５２に固定されている。すなわち、第２防蟻シート２５２は、第１防蟻シート２５１の基礎１１０から張り出した端部２５７が、基礎１１０の側面から離間するように、第１防蟻シート２５１を支持している。これにより、第１防蟻シート２５１の張り出した端部２５７が、返し構造を構成している。すなわち、第１防蟻シート２５１の基礎１１０から突出した端部２５７は、地面に向かって垂れ下がっている。そのため、第１防蟻シート２５１の白蟻忌避成分に返し構造が加わることによって、白蟻が第１防蟻シート２５１を乗り越えることをより確実に防止できる。
【００４３】
水切り部材１５０の上端部の外側表面には、透湿防水シート１３３の下端部が接着面を有する第４防蟻シート１５４（防蟻テープ）によって固着されている。この第４防蟻シート１５４によって、水切り部材１５０と透湿防水シート１３３との間には、隙間が形成されていない。そのため、白蟻が、基礎１１０に隣接する立木等から水切り部材１５０に到達した場合であっても、水切り部材１５０から土台１２０に白蟻が移動することを防止できる。
【００４４】
［防蟻工法］
第２実施形態の防蟻工法においても、まず地面に立設されるように基礎１１０を設置する。そして、基礎１１０の上に土台１２０を固定するために、基礎１１０の所定位置に複数のアンカーボルト１１１を打ち込む。次に、第１防蟻シート２５１のアンカーボルト１１１に対応する位置に、アンカーボルト１１１を挿通するための開口を形成する。続いて、第１防蟻シート２５１の開口にアンカーボルト１１１が挿通されるように、第１防蟻シート２５１を基礎１１０の上に載置する。このとき、第１防蟻シート２５１は、基礎１１０の外側に１〜１０ｃｍ、より好ましくは１〜５ｃｍ張り出すように、基礎１１０の全面に載置される。そして、基礎１１０の上で隣り合う第１防蟻シート２５１同士は、防蟻テープによって固着される。
【００４５】
次に、第１防蟻シート２５１の上に気密パッキン１２１を配置する。そして、気密パッキン１２１を介して、第１防蟻シート２５１の上に土台１２０を載置して、アンカーボルト１１１によって固定する。その後、土台１２０の上に所定間隔で柱及び間柱を立設する。そして、水切り部材１５０の下面に第２防蟻シート２５２の第１端部２５８を固定する。このとき、第２防蟻シート２５２の第１端部２５８を、接着剤によって水切り部材１５０に固着する。または、第２防蟻シート２５２の接着面を介して、第２防蟻シート２５２の第１端部２５８を水切り部材１５０に固着する。
【００４６】
続いて、土台１２０の外側表面に釘又はネジによって水切り部材１５０を固定する。そして、水切り部材１５０に固定された第２防蟻シート２５２の第２端部２５９に、第１防蟻シート２５１の上面を固着する。このとき、第１防蟻シート２５１は、第２防蟻シート２５２の第２端部２５９に接着剤によって固着される。または、第１防蟻シート２５１は、第２防蟻シート２５２の接着面を介して、第２端部２５９に固着される。若しくは、第１防蟻シート２５１は、第１防蟻シート２５１の接着面を介して、第２端部２５９に固着される。
【００４７】
第１防蟻シート２５１は、基礎１１０の側面から離間した位置で支持されるように、第２防蟻シート２５２に固定される。すなわち、第２防蟻シート２５２は、基礎１１０の側面から離間した位置において、第１防蟻シート２５１を支持する。これにより、第１防蟻シート２５１が基礎１１０から張り出した状態を維持することができる。さらに、第２実施形態においては、第２防蟻シート２５２の第２端部２５９は、第１防蟻シート２５１の最外縁２５６から離れた位置で第１防蟻シート２５１に固着される。すなわち、第１防蟻シート２５１は、端部２５７が第２防蟻シート２５２よりも地面側に突出するように、第２防蟻シート２５２に固着される。これにより、返し構造を長くすることができる。
【００４８】
続いて、柱及び間柱の外側表面にタッカーによって透湿防水シート１３３を固定する。このとき、透湿防水シート１３３の下端部を、第４防蟻シート１５４（防蟻テープ）によって水切り部材１５０の上端部の外側表面に固着する。これにより、第２実施形態に係る建築物の防蟻構造２０１を造ることができる。防蟻構造２０１の完成後は、透湿防水シート１３３の外側において、柱及び間柱に釘又はネジによって通気胴縁１３２を固定する。さらに、通気胴縁１３２の下端部に防虫網１３４を釘又はネジによって固定する。そして、外壁材１３５を金具によって通気胴縁１３２に固定する。
【００４９】
以上説明した第２実施形態によれば、第３防蟻シート１５３を用いずに第１防蟻シート２５１を第２防蟻シート２５２に固定できる。そのため、より容易且つ安価に防蟻構造２０１を造ることができる。
【００５０】
第２実施形態においても、水切り部材１５０に固定された支持部材（第２防蟻シート２５２）によって、第１防蟻シート２５１が基礎１１０の側面から離間した位置で支持される。また、土台１２０と基礎１１０との間に、第１防蟻シート２５１が配置される。これにより、白蟻が水切り部材１５０に接近することを抑制できる。そのため、水切り部材１５０を越えて、又は水切り部材１５０と土台１２０との間の隙間を経由して、土台１２０に至る蟻道が形成されてしまうことを防止できる。また、第１防蟻シート２５１が基礎１１０から張り出した状態が維持されるため、基礎１１０の外側に基礎ガード１１２を塗布する際に、塗布作業を第１防蟻シート２５１が邪魔をすることもない。
【００５１】
さらに、支持部材としての第２防蟻シート２５２によって、第１防蟻シート２５１が基礎１１０から張り出した返し構造を維持することができる。そのため、施工中に第１防蟻シート２５１に折り目が生じた場合、又は第１防蟻シート２５１に異物（例えば基礎ガード１１２）が付着した場合であっても、第１防蟻シート２５１が撓んで基礎１１０に近接することを防止できる。さらに、白蟻忌避成分によって白蟻が水切り部材１５０へ到達することを抑制できる。そのため、水切り部材１５０と土台１２０との間に隙間が生じている場合であっても、白蟻が土台１２０に侵入することを防止できる。
【００５２】
第２実施形態において、第２防蟻シート２５２は、第１防蟻シート２５１の上面に固着されている。ただし、第２防蟻シート２５２は、第１防蟻シート２５１の下面に固着されてもよい。この場合、第１防蟻シート２５１は、端部２５７が基礎１１０から水切り部材１５０に向かって立ち上がるように、第２防蟻シート２５２に支持されてもよい。
【００５３】
以上、各実施形態を参照して本発明について説明したが、本発明は上記実施形態に限定されるものではない。本発明に反しない範囲で変更された発明、及び本発明と均等な発明も本発明に含まれる。また、各実施形態及び各変形形態は、本発明に反しない範囲で適宜組み合わせることができる。
【００５４】
例えば、水切り部材１５０は、他の部材を介して土台１２０に間接的に固定してもよい。具体的に、水切り部材１５０は、外装下地、外壁材１３５及び横胴縁等の土台１２０の外側に配置された部材に固定してもよい。この場合であっても、水切り部材１５０は土台１２０に対して固定されており、壁内への水の侵入を防止できる。
【符号の説明】
【００５５】
１０１：防蟻構造、１１０：基礎、１２０：土台、１５０：水切り部材、１５１：防蟻シート、１５２：支持部材、１５３：防蟻テープ、２０１：防蟻構造、２５１：防蟻シート、２５２：支持部材
【図１】
2019039251.tif 000003
【図２】
2019039251.tif 000004
【図３】
2019039251.tif 000005
【図４】
2019039251.tif 000006